(57)【特許請求の範囲】
【請求項１】
周波数ホッピング通信システムにおけるベースステーションであって、該ベースステーションは周波数ホッピングされるバースト周波数を介して複数の移動ステーションの内の第１及び第２の移動ステーションと通信が可能であり、前記ベースステーションは、
前記ベースステーションと複数の移動ステーションとの間の通信をサポートするために前記バースト周波数を割当てるための手段であって、前記複数の移動ステーションは前記第１の移動ステーションを含むもの、そして
前記割当てるための手段に結合され、前記ベースステーションと前記第２の移動ステーションとの間の通信をサポートするために前記ベーステーションと前記複数の移動ステーションとの間の前記バースト周波数割当てのいくらかを先取りするための手段であって、前記複数の移動ステーションから先取りされるバーストの分布は一様であるもの、
を具備することを特徴とする周波数ホッピング通信システムにおけるベースステーション。
【請求項２】
通信ステムにおける移動ステーションであって、該移動ステーションは周波数ホッピングされるバースト周波数を介してベースステーションに通信し、前記移動ステーションは、
前記移動ステーションに関係するバースト周波数割当てが先取りされているか否かを決定するための手段、そして
前記決定するための手段に結合され、消去情報を発生しかつ該消去情報を前記先取りされたバーストに代えて適用するための手段、
を具備することを特徴とする通信システムにおける移動ステーション。
【請求項３】
前記決定のための手段はさらに前記移動ステーションがバーストが先取りされていることを予測可能にする前記移動ステーションに通信される補足情報をデコードするための手段、または前記移動ステーションにバーストが先取りされていることを通知する先取りされたバースト内の前記移動ステーションに通信されるマーカー情報をデコードするための手段を具備することを特徴とする請求項２に記載の移動ステーション。
【請求項４】
無線チャネルのダウンリンクにより複数の移動ステーションに通信するベースステーションを有する周波数ホッピング通信システムであって、前記複数の移動ステーションは前記無線チャネルのアップリンクにより前記ベースステーションに通信し、前記通信システムは、
ベースステーションにおいて、前記移動ステーションの各々に対するダウンリンク通信をサポートするために前記複数の移動ステーションの各々に対しバースト周波数を割当てるための手段、
前記割当てのための手段に結合されかつベースステーションにおいて、他の移動ステーションへのダウンリンク通信をサポートするために前記バースト周波数割当てのいくらかを先取りするための手段、
前記複数の移動ステーションにおいて、先取りされたいくらかのバースト周波数割当てを有する前記ダウンリンク通信を受信するための手段、
前記複数の移動ステーションにおいて、前記いくらかのバースト周波数割当ての先取りが生じたことを判定するための手段、
前記複数の移動ステーションにおいて、前記先取りされたバースト周波数割当てを補償するための手段、そして
前記他の移動ステーションにおいて、ダウンリンク通信を確立するために前記いくらかの先取りされたバースト周波数を受信するための手段、
を具備する周波数ホッピング通信システム。
【請求項５】
共通の周波数を有する前記アップリンクにおけるバースト周波数はそれらの出力がエラー訂正デコード装置に与えられる複数の地理的に分離されたベースステーションによって、またはそれらの出力がエラー訂正デコード装置に与えられるベースステーションに結合された方向性アンテナのアレイによって受信されることを特徴とする請求項４に記載の周波数ホッピング通信システム。
【請求項６】
通信システムにおける周波数ホッピング方法であって、前記通信システムは周波数ホッピングされるバースト周波数によって複数の移動ステーションの内の第１及び第２の移動ステーションと通信可能なベースステーションを有し、前記方法は、
前記ベースステーションと複数の移動ステーションとの間の通信をサポートするために前記バースト周波数を割当てる段階であって、前記複数の移動ステーションは前記第１の移動ステーションを含む、段階、そして
前記ベースステーションと前記第２の移動ステーションとの間の通信をサポートするために前記ベースステーションと前記複数の移動ステーションとの間のいくらかのバースト周波数割当てを先取りする段階であって、前記複数の移動ステーションから先取りされるバーストの分布は一様である、段階、
を具備することを特徴とする通信システムにおける周波数ホッピング方法。
【請求項７】
前記割当て段階はさらに前記ベースステーションと複数の移動ステーションとの間の通信をサポートするために前記バースト周波数を割当てる段階を具備し、前記複数の移動ステーションは前記第１の移動ステーションを含み、かつ前記先取りする段階はさらに前記ベースステーションと前記第２の移動ステーションとの間の通信をサポートするために前記ベースステーションと前記複数の移動ステーションとの間のいくらかのバースト周波数割当てを先取りする段階を具備することを特徴とする請求項６に記載の方法。
【請求項８】
通信システムにおける移動ステーションであって、該移動ステーションは周波数ホッピングされるバースト周波数を介してベースステーションに通信し、前記移動ステーションは、
情報の前記移動ステーションのアップリンク送信に関連するバースト周波数割当てが先取りされているか否かを決定するための手段、そして
前記決定のための手段に結合され、前記移動ステーションのバースト周波数割当てが先取りされている場合に前記情報の移動ステーションのアップリンク送信を中断するための手段、
を具備することを特徴とする通信システムにおける移動ステーション。
【請求項９】
前記中断のための手段はさらに有効な音声情報の前記移動ステーションのアップリンク送信を中断することを特徴とする請求項８に記載の移動ステーション。
【発明の詳細な説明】
【０００１】
【産業上の利用分野】
この発明は一般的には通信システムに関し、かつより特定的には周波数ホッピング、デジタルセルラ無線電話システムに関する。
【０００２】
【従来の技術】
セルラ通信システムが知られている。そのようなシステムは、典型的には、各々あるサービスカバレージ領域を有する、数多くのセルおよび数多くのセルラ電話（移動ステーション、ＭＳ）から構成される。隣接するセルの前記サービスカバレージ領域は実質的に連続的なカバレージ領域を提供するように部分的にオーバラップするよう配置され、１つのセルからサービスを受けている移動ステーションがサービスの中断なしに隣接セルへとハンドオフできるようにされる。グループ・スペシャル・モービル（Ｇｒｏｕｐｅ  Ｓｐｅｃｉａｌ  Ｍｏｂｉｌｅ：ＧＳＭ）汎ヨーロッパデジタルセルラシステムは、欧州電気通信標準化機構（ＥＴＳＩ）から入手可能なＧＳＭ勧告に定められているが、そのようなシステムの一例である。
【０００３】
セルの無線カバレージはベースステーション（ＢＳ）によって与えられる。各ＢＳは同時に１つの周波数で受信しかつ他の周波数で送信できる１つまたはそれ以上の送受信機（ＴＲＸ）を含む。ＢＳおよびＭＳの間の通信は一般にＢＳにおける通信処理をサポートする上で一時的に割当てられた１対の周波数（送信および受信）の一部を使用して行われる。
【０００４】
遠隔サイトにおいて使用するために割当てられる周波数対は典型的には無線チャネルと称される。ある無線チャネルによるＢＳからＭＳへのダウンリンク送信は前記周波数対のうちの第１の周波数で行われる。前記無線チャネルによるＭＳからＢＳへのアップリンク送信は前記対の周波数のうちの第２の周波数で行われる。
【０００５】
前記ＧＳＭシステムは各々の無線チャネルによって８つの全２重（ｆｕｌｌ  ｄｕｐｌｅｘ）信号経路（ＴＤＭフレームごとに８つのＴＤＭスロット）を提供するＴＤＭ／ＴＤＭＡシステムである。時間多重化により、ＢＳに割当てられた単一の１次無線チャネルは７つまでのフルレート２重トラフィック（音声またはデータ）ユーザに加えて多重化された共通の制御チャネルを前記８つのＴＤＭスロット内でサポートすることができる。同じセルに割当てられた付加的な２次無線チャネルは無線チャネルごとに８つのフルレートのトラフィックの総数を提供することができるが、それは前記１次無線チャネル内の制御チャネルが２次無線チャネルにおける通信資源の割当てを制御できるからである。
【０００６】
ＢＳからＭＳへの送信（制御、音声、および／またはデータトラフィック）は１つの無線チャネルの第１の周波数における第１のＴＤＭスロット（すなわち、ダウンリンクスロット）を占有し、かつＭＳからＢＳへの送信は前記無線チャネルの第２の周波数における第２のＴＤＭスロット（すなわち、アップリンクスロット）を占有する。前記第２の周波数によるＭＳのアップリンクスロットは前記第１の周波数のダウンリンクスロットに続き３つのＴＤＭスロット位置に時間的にずれている。前記第２の周波数におけるＭＳのアップリンクスロットは前記ダウンリンクよりも周波数で４５ＭＨｚ低くオフセットしている。
【０００７】
移動無線チャネルによって引起こされる障害のため、無線機による音声信号の送信を改善するために種々の手段が用いられている。その１つとして、エラー訂正符号化技術を使用することにより符号化された音声情報に冗長性が与えられている。これはブロックおよびたたみ込み（ｃｏｎｖｏｌｕｔｉｏｎａｌ）符号化技術を含む。
【０００８】
ＧＳＭにおいて使用されている他の改善方法は情報のインタリーブおよび低速周波数ホッピングの使用である。周波数ホッピングにおいては、符号化情報は多数の無線周波数で順次的なバーストとして送信される。周波数ホッピングシステムは良く知られている。１つのセル内でおよび他のセルのうちで使用されている周波数ホッピングの方法に応じて、フェーディングおよび妨害に対する種々の程度の免疫性（ｉｍｍｕｎｉｔｙ）が得られる。たとえば、周波数ホッピングは前記無線チャネルにおいていくらかの周波数ダイバシティを提供する。すなわち、それは不必要に長い期間の間信号がフェーディングを受けた状態に止まる可能性を低減する。フェーディングを受けている周波数で送信することによってほんの少しのみの情報が失われる場合には、エラー訂正デコードによってそれでもなお情報が再生できる。
【０００９】
周波数ホッピングはまた隣接セルにおける他のユーザからの妨害に対するある程度の頑丈さを提供することができる。単純な周波数分割多重によれば、特定の移動ステーションと常に干渉する同一チャネル妨害が存在し得る。２つの移動ステーションに対し相関のない周波数ホッピングシーケンスを用いることによりその生じ得る妨害を衝突が生じた場合のみに低減することができる。これは比較的まれにしか起こらないようにすることができる。エラー訂正符号化は前記衝突が存在する場合でも情報の復元を可能にする。
【００１０】
前記組の周波数ホッピング移動ステーションにより与えられたセル内における周波数の使用に関して一般にどのように前記周波数の選択を行うかを規定する２つの周波数ホッピング割当て戦略がある。第１の戦略は「ランダム・ホッピング」である。「ランダム・ホッピング」によれば、各ユーザは彼自身の個人的な周波数シーケンスを持つ。あるセル内の特定の移動ステーションにサービスするために使用される周波数シーケンスはいずれか他の特定の移動ステーションにサービスするために使用される周波数のシーケンスと相関がない。従って、衝突（２つの移動ステーションが同時に同じ周波数を使用する）が生じるある有限の確率がある。一般に、これはある与えられたセル内で同時に使用できるシーケンスの数を大幅に制限する。
【００１１】
第２の周波数ホッピング割当て戦略は「直交ホッピング（ｏｒｔｈｏｇｏｎａｌ  ｈｏｐｐｉｎｇ）」と称され、ＧＳＭにおいて使用されている。「直交ホッピング」によれば、あるセルによってサービスを受ける移動ステーションに対する周波数シーケンスは同じ時点でいずれのユーザも同じ周波数を使用していないように決定論的に（ｄｅｔｅｒｍｉｎｉｓｔｉｃａｌｌｙ）選択される。こうすることにより、２つの移動ステーションの間で衝突が生じる可能性がなくなる。マルチパス（ｆａｄｉｎｇ）の軽減およびセル間同一チャネル妨害の双方からホッピングしない動作と比較してかなりの性能改善が実現される。
【００１２】
【発明が解決しようとする課題】
直交ホッピングに関する大きな制約はセルによって収容できる移動ステーションの瞬時数に対する制限があることである。すなわち、サービスを受けることができる移動ステーションの最大数は移動ステーションがそれにわたってホッピングできる（ｈｏｐ  ｏｖｅｒ）セルにおいて使用するために割当てられる利用可能な周波数の数と等しい。この制約は一般に総合的な利用可能なスペクトル、再使用距離、および再使用パターンの制限によって規定される。さらに、セルラ無線システムのダイナミクスのため、セル内ですべての利用できるホッピングシーケンスを完全に割当てることは一般に望ましくない。これは新しい呼要求を生成するあるいは隣接セルから該セルへとハンドオーバする移動ステーションを収容するためにいくつかのシーケンスをバッファとして残しておかなければならないからである。サービスの程度、セルからの移動ステーションのブロッキングの確率、がセルにおいて前記周波数をどれだけ頻繁に使用できるかを規定する。要するに、時々刻々生じる需要のあるピークに合致するために容量を確保しておかなければならない。ある固定された周波数割当ておよび所望のグレードのサービスに対しては、これは最終的な容量を低減する結果をもたらす。
【００１３】
従って、性能、サービスのグレードを大幅に低減させることなく、さらにシステムの複雑さを増大させることなくある決められた数の周波数によってサービスできる周波数ホッピングシステムにおける移動ステーションの容量を増大できるようにする必要性が存在する。
【００１４】
【課題を解決するための手段および作用】
上記目的を達成するため、本発明に関わる周波数ホッピング通信システムにおいてはあるバースト周波数割当てを先取りする。該通信システムはＴＤＭ／ＴＤＭＡモードにおいて無線チャネルを介して移動ステーションと通信が可能である。複数の移動ステーションには前記ＴＤＭＡシステムのタイムスロットの間に送信するためにバースト周波数が割当てられる。付加的なバースト周波数なしにさらに他の移動ステーションをサポートするため、前記通信システムは前記複数の移動ステーションからのバースト周波数割当てを先取りし、かつその先取りされた割当てを前記付加的な移動ステーションへの通信をサポートするために使用する。
【００１５】
【実施例】
以下、図面を参照して本発明の実施例につき説明する。周波数ホッピング・デジタルセルラシステムにおいて、総合的なシステム性能を大幅に劣化させることなく付加的な移動ステーション容量を提供するための手段が説明される。前記手段は与えられるホッピングシーケンスの数が利用可能な周波数チャネルの合計数より大きくなるようにベースステーション（ＢＳ）および移動ステーション（ＭＳ）の間での通信をサポートするためにバースト周波数を順次割当てることを含む。前記手段は直交周波数シーケンスの１次セットを先ず提供することを含む。ＢＳからの周波数を制御可能に「盗む（ｓｔｅａｌ）」または「先取りする（ｐｒｅｅｍｐｔ）」付加的な２次周波数シーケンスを重ねる（ｏｖｅｒｌａｙｉｎｇ）ことにより付加的なＭＳが収容される。この「先取り」は特定のユーザに対する影響が最小になることを保証するように行われる。前記２次シーケンスも同様に互いに直交するものとすることができる。ホッピングされたシーケンスの受信機は（たぶんバーストが先取りされたことを移動ステーションに通知する、先取りされたバースト内の移動ステーションに通信されるマーカー情報をデコードすることにより）あるバーストが盗まれたことに気が付くかもしれず、あるいは気が付かないかもしれない。好ましい実施例において、移動ステーションがあるバーストが盗まれたことに気が付かないという筋書きにおいては、該移動ステーションは通信される補足的な情報をデコードし、これは該移動ステーションがバーストが先取りされていることを判定し、または予測できるようにする。いずれの場合も、盗まれたバーストの何らかの劣化効果を軽減するために手段が設けられる。付加的な「ソフト」オーバロード容量が与えられ、それによって実際のセルラ無線システム構成において過剰な望ましくない移動ステーションのブロッキングまたは呼の終了を生じ得る「ハード」容量の天井（ｃｅｉｌｉｎｇ）を除去する。
【００１６】
図１は、概略的に本発明を好適に使用できる周波数ホッピング・デジタルセルラシステムを示す。図１に示されるように、移動サービス交換センタ（ＭＳＣ）１０５が公衆交換電話ネットワーク（ＰＳＴＮ）１００に接続されている。ＭＳＣ１０５はまたベースサイトコントローラ（ＢＳＣ１０９）に接続されており、該ＢＳＣ１０９はＭＳＣ１０５と同様の交換機能を行うが、ＭＳＣ１０５に関して遠隔の位置で行う。ＢＳＣ１０９にはベースステーション（ＢＳ，１１１，１１２）が結合されており、該ＢＳは好ましい実施例においては周波数ホッピングされるバースト周波数で複数の移動ステーションと通信が可能である。ＢＳ、かつ明瞭化の目的でＢＳ１１２、からの通信は移動スーテション（ＭＳ，１１４，１１５）への無線チャネル１２１のダウンリンク（ｄｏｗｎｌｉｎｋ）において行われる。好ましい実施例においては、無線チャネル１２１は８個までのＭＳと通信できる。
【００１７】
図２は、本発明を好適に採用できる、無線機、かつこの場合はＢＳ１１２、を概略的に示す。図２に示されたブロック図はまた前記好ましい実施例のＢＳ１１１にも適用される。さらに、インタフェース２００は、好ましい実施例においては米国特許第５，０８１，６４１号に記載されたものと同様の時分割多重（ＴＤＭ）バスインタフェースであり、該米国特許は発明者がコッツィン（Ｋｏｔｚｉｎ）他であり、かつ本明細書に参照のため導入される。インタフェース２００は割当てのための手段２０６に結合され、該手段２０６は好ましい実施例においてはモトローラ社のマイクロプロセッサ（μＰ）である。μＰ２０６にはメモリブロック２０３が接続されている。また、μＰ２０６には先取りのための手段２０９が接続されており、該手段２０９は好ましい実施例においてはモトローラ社の５６０００型デジタル信号プロセッサ（ＤＳＰ）２０９である。音声情報記憶装置２０８もまたＤＳＰ２０９に結合されている。音声情報記憶装置２０８は、とりわけ、音声情報、音声に関係するメトリクス（ｍｅｔｒｉｃｓ）、及び送信されるべきバースト周波数の品質に関する評価値（ｅｓｔｉｍａｔｅｓ）のような基準を記憶する。音声情報記憶装置２０８はＤＳＰ２０９に結合され、それによってマイクロプロセッサ２０６によって割当てられたバースト周波数の先取りが音声情報記憶装置２０８に記憶された前記基準に基づくことができるようにする。ＤＳＰ２０９からの出力は送信機２１８に入力され、該送信機２１８は伝統的なアンテナ２２１を介して無線チャネル１２１を送信する。好ましい実施例においては、無線チャネル１２１はＴＤＭ／ＴＤＭＡフォーマットである。
【００１８】
単一のセル、たとえばセル１１８、において、完全な組（ｆｕｌｌ  ｓｅｔ）の直交周波数ホッピングシーケンスがある。しかしながら、付加的な情報無線チャネル（図示せず）が重なっており（かつ、従ってこれらの同じ周波数を共有しており）前記付加的な情報無線チャネルは他のシーケンスにわたり一様なオーバラップを提供するために前記他の所定の最適のシーケンスを使用して周波数ホッピングする。これは送信されるべきＭＳ情報があるよりもホッピングのためにより少ない周波数を可能にする。これはいくつかの方法で行うことができ、すなわち（１）バースト周波数を「盗む」または先取りするが、それが必ずすべてのＭＳにわたり決定論的な、制御された様式で行なわれるようにする、（２）前記バースト周波数を先取りするがＭＳにそれらがどれであるかを知らせそれによって消去ができるようにする、及び／または（３）ＭＳのみにどのバースト周波数が先取りされたかを理解またはつきとめさせる方法がある。
【００１９】
本発明の好ましい実施例は上の（１）による。基本的な機構はいわゆるバースト「スチール（ｓｔｅａｌｉｎｇ）」、または「先取り」を使用する。この技術においては、決定論的なアルゴリズムが通常は１つのＭＳのために送信されるバーストのいくつかを先取りしかつ他のものと置き換える。簡単な例として、５周波数の周波数ホッピングシステムを考える。伝統的なシステムは以下に示されるように、５つのＭＳに割当てられた直交ホッピングシーケンスを持つことができる。擬似ランダム（すなわち、サイクリックでない）周波数ホッピング割当てが示されている。
【表１】
0003778580.tif 000002
【００２０】
ＭＳ  １１４，ｗｗｗ，ｘｘｘ，ｙｙｙ及びｚｚｚは複数のＭＳを表わし、ＭＳ１１４は第１のＭＳを表わす。ＭＳ  ｗｗｗ，ｘｘｘ，ｙｙｙ及びｚｚｚは明瞭化のために図面には示されていない。表１に示されるバースト周波数の割当ての論理的表現は図３に物理的に描かれている。図３を参照すると、表１のそれぞれコラム１，２及び３に対応するバースト周波数（ｆ）割当てを有するフレームＡ，Ｂ及びＣが示されている。たとえば、表１のコラム２に論理的に示されたバースト周波数（ｆ）割当て（ｆ＝５の場合はＭＳ  １１４、ｆ＝２の場合はＭＳｗｗｗ、ｆ＝１の場合はＭＳ  ｘｘｘ、ｆ＝４の場合はＭＳ  ｙｙｙ、及びｆ＝３の場合はＭＳ  ｚｚｚ）は物理的に図３のフレームＢに描かれており、かつフレームＢに対するバースト周波数割当てを表わす。図３に描かれた各々のＭＳに対するスロット割当ては通信の確立の時点におけるスロットの利用可能性に関係し、かつ本発明にとっては重要な事ではない。図３に見られるように、すべての５つのバースト周波数は常に使用状態にある。第６番目のユーザは次のようにして加えられる。各々のフレームにおいて、前記最初の５つのＭＳからのあるバースト周波数割当てはＢＳ１１２と第２のＭＳ、たとえばＭＳ１１５、との間の通信をサポートするために「先取りされる」ことになる。従って、初めの５つのユーザ情報は次のように送信される。
【表２】
ＭＳ  １１４：      ．．．ｘ５３２３ｘ１２．．．
ＭＳ  ｗｗｗ：      ．．．５ｘ１４１２ｘ３．．．
ＭＳ  ｘｘｘ：      ．．．３１ｘ５２３４ｘ．．．
ＭＳ  ｙｙｙ：      ．．．２４５ｘ４１２１．．．
ＭＳ  ｚｚｚ：      ．．．４３２１ｘ５３４．．．
【００２１】
表２は図４に示されるように表わされる。図４から分かるように、ＭＳ  ｗｗｗのバースト周波数割当てが先取りされている（ｆ＝ｘ、この場合ｘはそのＭＳに対する何らの情報もその期間の間に送信されないことを示す）。この単純化した例においては、フレームＢの間には他のバースト周波数割当ては先取りされていない。ＭＳ  ｗｗｗのバースト周波数割当ては先取りされ得るが、それは冗長符号化及びインタリーブを使用することにより、システムが５つの先取りされたバースト周波数の内の１つの喪失に対して適度に頑丈であることが想定できるからである。第６のＭＳ、ＭＳ１１５、は次に次のようにして加えることができる。
【表３】
ＭＳ  １１５：      ．．．１２４３５４５５．．．
【００２２】
図５は表２と表３との組合わせを表わす。図５は新しく加えられた第６のＭＳに加えて、元の５つのＭＳを表わす。明らかに、第６のＭＳは第６のバースト周波数を加えることなく加えられている。もちろん、上の例は非常に単純化されている。盗まれたバーストの一部（ｆｒａｃｔｉｏｎ）はシステム設計において使用されるパラメータの関数である。また、より強力な符合はより多くのバーストが盗まれることができるようにする。
【００２３】
この技術を導入したシステム設計において、システム性能を最大にするために利用できるいくつかのアルゴリズムがある。たとえば、ホッピングシーケンスは所望の「先取り」統計値を提供するよう規定できる。たとえば、そのようなアルゴリズムまたはシーケンスは特定のセルにおいてすべての無線チャネルにわたり先取りされたバーストが一様に分布されることを保証する。
【００２４】
移動ステーションにもし同じ手順がアップリンクに対して使用されている場合に他のユーザと干渉しないように何時彼がバーストを捨てるべきかを知らせるために他のアルゴリズムを使用することもできる。（他の技術によりアップリンクに対するオーバラップ問題を除去できるものと思われる。例えば、特にベースに対する２つの移動ステーションの間のいくらかの到達角度差がある場合には、２つの独立のバーストの同時弁別を可能にするいくつかの適応アンテナ及び妨害打ち消し技術がある。複数の遠隔受信機はこの弁別プロセスにおいておおいに助けとなる。）
【００２５】
移動ステーションがそれが先取りされたバーストを受信しているか否かを、かつ従って、この情報を補助チャネルによって移動ステーションに伝達するなどのために、正しくない情報を知ることは可能である。例えば、ＧＳＭにおいては、これはＳＡＣＣＨチャネルとして知られている。この状況が存在する場合、移動ステーションはどのバーストが「誤った」バーストであるかを知り、かつそれらをエラー訂正符号化プロセスにおける考慮の対象から排除する。この事を行う技術は消去技術（ｅｒａｓｕｒｅ  ｔｅｃｈｎｉｑｕｅｓ）としてよく知られている。例えば、ソフト決定技術においては、ゼロが妨害を受けるビット（ｉｎｔｅｒｆｅｒｅｄ−ｗｉｔｈ−ｂｉｔｓ）に対しそれらが、ソフトエラー訂正デコーダのような、エラー訂正デコード装置に提供される前に割当てられる。
【００２６】
さらに他のアルゴリズムによって彼のものではないバーストが受信されている事を受信機が確実に知り、それによって消去情報が前記チャネルデコーダに確実に発生できるようにすることができる。
【００２７】
衝突が起こりそうな場合にどのチャネルを送信すべきが、あるいはどの先取りに基づくべきかを決定する助けとなるいくつかの異なる技術がある。送信のためのバーストの選択は、複数の音声に対する現在の音声活動の検出のような、音声活動のメトリクスを考慮にいれることができる。例えば、もし音声活動が低いかあるいは存在しない場合、これは与えられたバーストに対してドロップする良好な候補者となり得る。要点は、復元された音声に対する影響を最小にするという目的を持ってある選択を行うことができるということである。他の可能性はベースにおいてどの音声品質が誤って受信されかつ外挿または推定される（ｅｘｔｒａｐｏｌａｔｅｄ）事から最も悪影響を受けるかを決定することに対するものである。これはフレームが各々の音声に対して誤って受信されたことを想定しかつどのものの外挿または推定（ｅｘｔｒａｐｏｌａｔｉｏｎ）アルゴリスムが知られた知覚的重み付け尺度を使用して音声を再生するのによりよい仕事をするかを見ることにより少しの量の遅延を犠牲にして行うことができる。この手順はどの音声の情報が送るのに最善であるかを決定できるようにする。先取りのための他の基準（ｂａｓｉｓ）は、音声情報の品質のような、音声情報の統計値とすることができる。最後に、先取りは、ビットエラー率（ＢＥＲ）または信号強度指示（ＳＳＩ）のような、無線チャネル１２１の品質の推定値に基づくことができる。
【００２８】
次に図２を参照すると、該図２は総括的にインタフェース２００なしに、移動ステーション１１４または１１５を示す。図２に示されるように、無線チャネル１２１は受信機２１５によって受信され、該受信機２１５は受信された無線チャネルをＤＳＰ２１２に入力し、該ＤＳＰ２１２は移動ステーション１１４に関連するバースト周波数割当てが先取りされているか否かを判定する。この判定は移動ステーション１１４に通信され該移動ステーション１１４がバーストが先取りされていることを予測できるようにする補足的な情報をデコードすることにより、あるいは移動ステーション１１４にバーストが先取りされていることを通知する先取りされたバースト内の移動ステーション１１４に通信されるマーカー情報をデコードすることにより行うことができる。続いて、ＤＳＰ２１２からの出力はＤＳＰ２１２によって決定された前記先取りされたバースト割当てを補償するμＰ２０６に入力される。先取りされたバースト割当てに対する補償は前に受信された情報から音声情報を外挿または推定し（ｅｘｔｒａｐｏｌａｔｉｎｇ）かつその外挿された音声情報を前記先取りされたバーストの場所に適用することよりあるいは消去情報を発生しかつ該消去情報を前記先取りされたバーストの場所に適用することにより行うことができる。音声情報が外挿される筋書きにおいては、該外挿された音声情報はその後ミュートされる。
【００２９】
さらに図２を参照すると、インタフェース２００を除き、移動ステーション１４または１５が示されており、該移動ステーションは本発明に関わる移動ステーションのアップリンク送信に関係するバースト周波数割当てを先取りすることができる。ＧＳＭにおいては、移動ステーションは典型的には、有効な音声情報のような、情報を周期的なベースで（すなわち、各フレームから１つのタイムスロット）送信し、この場合先取りされるべきフレーム−フレームのベースでのバースト周波数割当てに対する何らの特権（ｃｏｎｃｅｓｓｉｏｎ）なしに送信する。ＧＳＭは不連続送信（ＤＴＸ）と呼ばれる特徴を与えるが、ＤＴＸは有効な音声情報が存在しない場合にのみ行なわれる。有効な音声情報が存在しない場合、移動ステーションは該有効な音声情報をフレーム毎に一度送信する。しかしながら、図２を参照しかつ本発明によれば、μＰ２０６は情報の移動ステーションのアップリンク送信に関係するバースト周波数割当てが先取りされているか否かを判定する。もし有効な音声情報が送信されるべきである場合は、μＰ２０６は周期的なベースでの移動ステーションの典型的な送信が先取りされるべきであることを判定する。ＤＳＰ２１８は次に移動ステーションの典型的なバースト周波数割当てが先取りされた場合に情報の移動ステーションのアップリンク送信を中断する。先取りされたバースト（有効な音声情報の先取りされたバースト）の間に、移動ステーション１１４は制御情報を送信することができる。
【００３０】
【発明の効果】
従って、当業者には本発明により、前に述べた目的および利点を完全に満たす周波数ホッピング通信システムにおけるバースト周波数割当てを先取りするための装置及び方法が提供された事が明らかである。すなわち、本発明によれば、性能、サービスの品質を大幅に劣化させることなく、かつシステムの複雑さを増大させることなく、固定数の周波数によってサービスできる周波数ホッピングシステムにおける移動ステーション容量を増大することが可能になる。
【００３１】
本発明がその特定の実施例に関して説明されたが、以上の説明に照らして数多くの置き換え、変更及び修正が可能なことは明らかである。従って、すべてのそのような置き換え、修正及び変更は添付の特許請求の範囲に含まれるものと考えている。
【図面の簡単な説明】
【図１】本発明を好適に利用できる周波数ホッピングデジタルセルラシステムを総括的に示す説明図である。
【図２】本発明を好適に利用できる無線機を概略的に示すブロック図である。
【図３】５つのバースト周波数を使用して５つの移動ステーション（ＭＳ）にバースト周波数割当てを行う場合の各フレームの内容を示す説明図である。
【図４】本発明に従って先取りされたバースト周波数割当てを持つ図３のバースト周波数割当て状態を示す説明図である。
【図５】本発明に従って５つのバースト周波数を使用し６つの移動ステーションに対しバースト周波数割当てを行う場合の各フレームの状態を示す説明図である。
【符号の説明】
１００  公衆交換電話ネットワーク
１０５  移動サービス交換センタ
１０９  ベースサイトコントローラ
１１１，１１２  ベースステーション
１１４，１１５  移動ステーション
１１７，１１８  セル
１２１  無線チャネル
２００  インタフェース
２０３  メモリ
２０６  マイクロプロセッサ
２０８  音声情報記憶装置
２０９，２１２  デジタル信号プロセッサ
２１５  受信機
２１８  送信機
２２１  アンテナ
【図１】
0003778580.tif 000003
【図２】
0003778580.tif 000004
【図３】
0003778580.tif 000005
【図４】
0003778580.tif 000006
【図５】
0003778580.tif 000007